(57)【要約】【課題】パンツ型吸収性物品に折り畳みの癖が付き難く、且つ、開封し易いパンツ型吸収性物品の包装体を提供すること。【解決手段】折り畳まれているパンツ型吸収性物品（１）を内包して、所定方向に沿う折り位置にて折り畳まれた包装シート（５１）と、止着テープ（５２）と、包装シート（５１）の両側端部を封止している一対の封止部（５３）とを有し、所定方向において、包装シート（５１）の内寸からパンツ型吸収性物品（１）の長さを減じた長さに、封止部（５３）の長さを加えた第１の長さが、所定方向における一方側の包装体（５０）の側端から止着テープ（５２）の側端までの長さの半分である第２の長さよりも長いパンツ型吸収性物品の包装体。【選択図】図８
2018102845.tif 000002
【特許請求の範囲】
【請求項１】
吸収性本体、及び、一対のベルト部を有するパンツ型吸収性物品と、
折り畳まれている前記パンツ型吸収性物品を内包して、所定方向に沿う折り位置にて折り畳まれた包装シートと、
前記包装シートの前記所定方向に沿う端のうち外側に位置する開封端を、前記包装シートの外面に止着している止着テープと、
前記所定方向における前記包装シートの両側端部を封止している一対の封止部と、を有するパンツ型吸収性物品の包装体であって、
前記所定方向において、前記包装シートの内寸から前記パンツ型吸収性物品の長さを減じた長さに、前記封止部の長さを加えた第１の長さが、
前記所定方向における一方側の前記包装体の側端から前記止着テープの側端までの長さの半分である第２の長さよりも長いこと、を特徴とするパンツ型吸収性物品の包装体。
【請求項２】
請求項１に記載のパンツ型吸収性物品の包装体であって、
前記第１の長さが、前記所定方向における前記一方側の前記包装体の側端から他方側の前記止着テープの側端までの長さの半分である第３の長さ以上であること、を特徴とするパンツ型吸収性物品の包装体。
【請求項３】
請求項１又は請求項２に記載のパンツ型吸収性物品の包装体であって、
縦方向、横方向、及び前後方向を有し、胴回り開口、及び、一対の脚回り開口が形成されている前記パンツ型吸収性物品において、
前記吸収性本体は、その長手方向が前記縦方向に沿うように２つ折りされており、
前記ベルト部は、前記横方向に伸縮可能であり、前記吸収性本体の端部に接続されており、
前記包装シート内において、
前記ベルト部の前記横方向の端部が横方向の内側に折られており、前記吸収性本体が前記横方向に沿う折り位置にて折られていること、を特徴とするパンツ型吸収性物品の包装体。
【請求項４】
請求項３に記載のパンツ型吸収性物品の包装体であって、
前記包装シート内において、前記パンツ型吸収性物品の前記横方向が前記所定方向と交差する方向に沿っていること、を特徴とするパンツ型吸収性物品の包装体。
【請求項５】
請求項３又は請求項４に記載のパンツ型吸収性物品の包装体であって、
前記ベルト部の前記横方向の端部は、その非肌側面が互いに対向するように前記横方向の内側に折られており、且つ、前記吸収性本体の肌側に位置していること、を特徴とするパンツ型吸収性物品の包装体。
【請求項６】
請求項３から請求項５の何れか１項に記載のパンツ型吸収性物品の包装体であって、
記横方向に沿う折り位置にて折られている前記吸収性本体のうち前記胴回り開口側の部位が、前記止着テープの面に直交する方向において前記止着テープが配されている側に位置していること、を特徴とするパンツ型吸収性物品の包装体。
【請求項７】
請求項６に記載のパンツ型吸収性物品の包装体であって、
前記パンツ型吸収性物品において、
前記吸収性本体の端部と前記一対のベルト部を接続している一対の接続部が、前記前後方向の両側にそれぞれ設けられており、
前記接続部は、前記胴回り開口側から前記脚周り開口側に向かって前記横方向の外側に傾斜していること、を特徴とするパンツ型吸収性物品の包装体。
【請求項８】
請求項１から請求項７の何れか１項に記載のパンツ型吸収性物品の包装体であって、
前記開封端のうち前記止着テープと前記封止部の間の部位が、前記包装シートの外面に止着されていないこと、を特徴とするパンツ型吸収性物品の包装体。
【発明の詳細な説明】
【技術分野】
【０００１】
本発明は、パンツ型吸収性物品の包装体に関する。
【背景技術】
【０００２】
パンツ型吸収性物品として、パンツ型の使い捨ておむつや、ショーツ型の生理用ナプキンを例示できる。パンツ型吸収性物品は一般に多数の製品がまとめて包装されている。但し、持ち運びする際の衛生面の問題から、個別に包装された包装体の需要がある。特許文献１には、２つ折りされた包装材の折曲部と２つ折りされたショーツ型ナプキンの折曲部が対向するように、包装材の内部にナプキンが挿入され、折曲部以外の包装材の３辺がヒートシール等によって封止された、全体としてコンパクトな包装体が開示されている。
【先行技術文献】
【特許文献】
【０００３】
【特許文献１】特開２０００−２４０２９号公報
【発明の概要】
【発明が解決しようとする課題】
【０００４】
但し、特許文献１の包装体では包装材の３辺が封止されているため、包装体の開封位置が分かり難く、開封し難い。また、特許文献１の包装体では、ナプキンの移動代が殆どない程にコンパクトに包装されているため、ナプキンに２つ折りの癖が付き易い。
【０００５】
本発明は、上記のような問題に鑑みてなされたものであって、その目的は、パンツ型吸収性物品に折り畳みの癖が付き難く、且つ、開封し易いパンツ型吸収性物品の包装体を提供することを目的とする。
【課題を解決するための手段】
【０００６】
上記目的を達成するための主たる発明は、吸収性本体、及び、一対のベルト部を有するパンツ型吸収性物品と、折り畳まれている前記パンツ型吸収性物品を内包して、所定方向に沿う折り位置にて折り畳まれた包装シートと、前記包装シートの前記所定方向に沿う端のうち外側に位置する開封端を、前記包装シートの外面に止着している止着テープと、前記所定方向における前記包装シートの両側端部を封止している一対の封止部と、を有するパンツ型吸収性物品の包装体であって、前記所定方向において、前記包装シートの内寸から前記パンツ型吸収性物品の長さを減じた長さに、前記封止部の長さを加えた第１の長さが、前記所定方向における一方側の前記包装体の側端から前記止着テープの側端までの長さの半分である第２の長さよりも長いこと、を特徴とするパンツ型吸収性物品の包装体である。
本発明の他の特徴については、本明細書及び添付図面の記載により明らかにする。
【発明の効果】
【０００７】
本発明によれば、パンツ型吸収性物品に折り畳みの癖が付き難く、且つ、開封し易いパンツ型吸収性物品の包装体を提供することができる。
【図面の簡単な説明】
【０００８】
【図１】パンツ型使い捨ておむつ１の概略斜視図である。
【図２】図２Ａは吸収性本体１０及びベルト部２０の長手方向に伸長させた状態のおむつ１の平面図であり、図２Ｂは図２ＡのＡＡ線の断面図である。
【図３】図３Ａは図２Ａの接続部２，３を分離して展開したおむつ１の平面図であり、図３Ｂは図３ＡのＡＡ線の断面図である。
【図４】図４Ａは包装体５０の表側の平面図であり、図４Ｂは包装体５０の裏側の平面図である。
【図５】図５Ａから図５Ｃはおむつ１の折り畳み方法の説明図である。
【図６】包装シート５１の折り畳み方法の説明図である。
【図７】図７Ａはベルト部２０の折り畳み状態を示す図であり、図７Ｂは包装体５０の概略断面図であり、図７Ｃはベルト部２０の折り畳み方法の変形例を説明する図である。
【図８】図８Ａは包装体５０のおむつ１の移動代Ｌ３を説明する図であり、図８Ｂは包装シート５１の一部が折られた包装体５０の平面図である。
【図９】図９Ａは変形例の包装体５０のおむつ１の移動代Ｌ３を説明する図であり、図９Ｂは包装シート５１の一部が折られた変形例の包装体５０の平面図である。
【発明を実施するための形態】
【０００９】
本明細書及び添付図面の記載により、少なくとも以下の事項が明らかとなる。
吸収性本体、及び、一対のベルト部を有するパンツ型吸収性物品と、折り畳まれている前記パンツ型吸収性物品を内包して、所定方向に沿う折り位置にて折り畳まれた包装シートと、前記包装シートの前記所定方向に沿う端のうち外側に位置する開封端を、前記包装シートの外面に止着している止着テープと、前記所定方向における前記包装シートの両側端部を封止している一対の封止部と、を有するパンツ型吸収性物品の包装体であって、前記所定方向において、前記包装シートの内寸から前記パンツ型吸収性物品の長さを減じた長さに、前記封止部の長さを加えた第１の長さが、前記所定方向における一方側の前記包装体の側端から前記止着テープの側端までの長さの半分である第２の長さよりも長いこと、を特徴とするパンツ型吸収性物品の包装体である。
【００１０】
このようなパンツ型吸収性物品の包装体によれば、止着テープによって、包装体の開封位置が認識され易く、使用者は止着テープを摘まみながら包装シートを展開できるため、開封し易い。また、折り畳まれている吸収性物品を内包して、包装シートが折り畳まれるため、例えば包装シートと共に吸収性物品が折り畳まれる場合に比べて、吸収性物品の衛生状態が保たれ易い。また、包装シートの内寸から吸収性物品の長さを減じた長さ、つまり包装シート内での吸収性物品の移動代が大きく、吸収性物品はゆったりと包装される。よって、吸収性物品に折り畳みの癖が付き難い。
【００１１】
かかるパンツ型吸収性物品の包装体であって、前記第１の長さが、前記所定方向における前記一方側の前記包装体の側端から他方側の前記止着テープの側端までの長さの半分である第３の長さ以上であること、を特徴とするパンツ型吸収性物品の包装体である。
【００１２】
このようなパンツ型吸収性物品の包装体によれば、包装シート内での吸収性物品の移動代がより大きく、吸収性物品はゆったりと包装されるため、吸収性物品に折り畳みの癖が付き難い。
【００１３】
かかるパンツ型吸収性物品の包装体であって、縦方向、横方向、及び前後方向を有し、胴回り開口、及び、一対の脚回り開口が形成されている前記パンツ型吸収性物品において、前記吸収性本体は、その長手方向が前記縦方向に沿うように２つ折りされており、前記ベルト部は、前記横方向に伸縮可能であり、前記吸収性本体の端部に接続されており、前記包装シート内において、前記ベルト部の前記横方向の端部が横方向の内側に折られており、前記吸収性本体が前記横方向に沿う折り位置にて折られていること、を特徴とするパンツ型吸収性物品の包装体である。
【００１４】
このようなパンツ型吸収性物品の包装体によれば、吸収性物品がコンパクトになり、包装体をコンパクトにできる。また、包装体の外から視認されるベルト部の大きさが小さく、包装体の中身が吸収性物品（例えばおむつ）と認識され難い。
【００１５】
かかるパンツ型吸収性物品の包装体であって、前記包装シート内において、前記パンツ型吸収性物品の前記横方向が前記所定方向と交差する方向に沿っていること、を特徴とするパンツ型吸収性物品の包装体である。
【００１６】
このようなパンツ型吸収性物品の包装体によれば、包装シートの折りの方向と吸収性本体の折りの方向が交差するため、包装シートは吸収性本体の展開の力を受け難く、包装シートの折りが維持され易い。
【００１７】
かかるパンツ型吸収性物品の包装体であって、前記ベルト部の前記横方向の端部は、その非肌側面が互いに対向するように前記横方向の内側に折られており、且つ、前記吸収性本体の肌側に位置していること、を特徴とするパンツ型吸収性物品の包装体である。
【００１８】
このようなパンツ型吸収性物品の包装体によれば、包装体の外から視認されるベルト部の大きさが小さく、包装体の中身が吸収性物品（例えばおむつ）と認識され難い。また、ベルト部の横方向の端部が吸収性本体の間に挟まれるので、ベルト部の折りが維持され易い。
【００１９】
かかるパンツ型吸収性物品の包装体であって、記横方向に沿う折り位置にて折られている前記吸収性本体のうち前記胴回り開口側の部位が、前記止着テープの面に直交する方向において前記止着テープが配されている側に位置していること、を特徴とするパンツ型吸収性物品の包装体である。
【００２０】
このようなパンツ型吸収性物品の包装体によれば、吸収性本体の端部に接続するベルト部が包装体の外から視認され難く、包装体の中身が吸収性物品（例えばおむつ）と認識され難い。
【００２１】
かかるパンツ型吸収性物品の包装体であって、前記パンツ型吸収性物品において、前記吸収性本体の端部と前記一対のベルト部を接続している一対の接続部が、前記前後方向の両側にそれぞれ設けられており、前記接続部は、前記胴回り開口側から前記脚周り開口側に向かって前記横方向の外側に傾斜していること、を特徴とするパンツ型吸収性物品の包装体である。
【００２２】
このようなパンツ型吸収性物品の包装体によれば、斜めに傾斜している接続部が包装体の外から視認され難く、包装体の中身が吸収性物品（例えばおむつ）と認識され難い。
【００２３】
かかるパンツ型吸収性物品の包装体であって、前記開封端のうち前記止着テープと前記封止部の間の部位が、前記包装シートの外面に止着されていないこと、を特徴とするパンツ型吸収性物品の包装体である。
【００２４】
このようなパンツ型吸収性物品の包装体によれば、包装シート内が密封されないので、吸収性物品がゆったりと包装される。よって、吸収性物品に折り畳みの癖が付き難い。また、包装シートの破裂を防ぎ、吸収性物品の不用な露出を防止できる。
【００２５】
＝＝＝実施形態＝＝＝
以下、本発明に係るパンツ型吸収性物品の包装体として、大人向けのパンツ型使い捨ておむつの包装体を例に挙げて実施形態を説明する。但しこれに限らず、本発明に係る包装体は、例えば、乳幼児向けのおむつや、ショーツ型の生理用ナプキン等の包装体としても利用可能である。
【００２６】
＜＜パンツ型使い捨ておむつの基本構成＞＞
図１はパンツ型使い捨ておむつ１（以下「おむつ」）の概略斜視図である。図２Ａは吸収性本体１０及びベルト部２０の長手方向に伸長させた状態のおむつ１の平面図であり、図２Ｂは図２ＡのＡＡ線の断面図である。図３Ａは図２Ａの接続部２，３を分離して展開したおむつ１の平面図であり、図３Ｂは図３ＡのＡＡ線の断面図である。
【００２７】
なお、おむつ１を伸長させた状態とは、おむつ１に生じていた皺が実質的に視認されなくなる程におむつ１を伸長させた状態である。具体的には、おむつ１を構成する各部材（例えば図３Ｂに示すシート４１等）の寸法がその部材単体の寸法と一致又はそれに近い長さになるまで伸長させた状態である。
【００２８】
おむつ１は、着用時において図１に示すようなパンツ型状態となる。パンツ型状態のおむつ１は、互いに直交する縦方向、横方向、及び前後方向を有し、胴回り開口ＢＨ、及び、一対の脚回り開口ＬＨが形成されている。縦方向において胴回り開口ＢＨ側を上側とし、その反対側を下側とする。前後方向において着用者の腹側を前側とし、着用者の背側を後側とする。また、図２Ｂに示すように、おむつ１を構成する各部材が積層された方向を厚さ方向とする。厚さ方向において、着用者に接する側を肌側とし、その反対側を非肌側とする。
【００２９】
おむつ１は、吸収性本体１０、一対のベルト部２０、及び、一対のレッグギャザー部３０を有する。一対のレッグギャザー部３０は吸収性本体１０の横方向の両側部に沿って配されている。また、平面状態のおむつ１（図２Ａ）では、吸収性本体１０、一対のベルト部２０、及び、一対のレッグギャザー部３０の各長手方向が揃い、吸収性本体１０及び一対のレッグギャザー３０の肌面上に一対のベルト部２０が重ねられ、また、互いの肌側面が対向している。平面状態のおむつ１において、一対のベルト部２０の幅方向の内側端２０ａを外側に開き、ベルト部２０をその長手方向の略中央で二つ折りしつつ、吸収性本体１０及びレッグギャザー部３０をその長手方向の略中央で二つ折りすることで、パンツ型状態のおむつ１（図１）になる。
【００３０】
パンツ型状態のおむつ１（図１）では、吸収性本体１０及び一対のレッグギャザー部３０は、その長手方向がおむつ１の縦方向に沿うように二つ折りされている。一対のベルト部２０は、それぞれ吸収性本体１０の横方向の両側に、横方向に沿って配されている。詳しくは、各ベルト部２０の一端は、前側の接続部２において、吸収性本体１０及びレッグギャザー部３０の長手方向の端部に接続されており、各ベルト部２０の他端は、後側の接続部３において、吸収性本体１０及びレッグギャザー部３０の長手方向の端部に接続されている。つまり、おむつ１には一対の接続部２，２及び３，３が前後方向の両側にそれぞれ設けられている。
【００３１】
また、各接続部２，３は、胴回り開口ＢＨ側から脚回り開口ＬＨ側に向かって横方向の外側に傾斜している。接続部２，３での接続方法としては、ヒートシール、超音波シール、接着剤、これらの組み合わせ等、公知の接続方法を例示できる。
【００３２】
また、パンツ型状態のおむつ１において、ベルト部２０は横方向に伸縮可能であり、レッグギャザー部３０は縦方向に伸縮可能であり、おむつ１は着用者の胴回りや脚回りにフィットする。そのため、ベルト部２０には、おむつ１の横方向（ベルト部２０の長手方向）に沿った弾性部材２１が縦方向に多数並んで配されている。レッグギャザー部３０には、おむつ１の縦方向（レッグギャザー部３０の長手方向）に沿った弾性部材３１が横方向に複数並んで（ここでは２本並んで）配されている。なお、弾性部材２１，３１としては、ゴムやスパンデックス等の糸状の弾性部材を例示できるが、伸縮性不織布や伸縮性フィルム等のシート状の弾性部材であってもよい。
【００３３】
吸収性本体１０では、図２Ｂに示すように、厚さ方向の肌側から、液透過性のトップシート１１、吸収体１２、液不透過性のバックシート１３、外装シート１４が積層されている。吸収体１２では、液体を吸収する吸収性コアに、液透過性のコアラップシートが被覆されている。吸収性コアとして、パルプ繊維等の液体吸収性繊維に高吸収性ポリマーが含有されたものを例示できる。
【００３４】
レッグギャザー部２０及びベルト部３０は、図３Ｂに示すように、同一のシート部材４０から形成されている。シート部材４０では、２枚のシート４１の間にベルト部２０の弾性部材２１及びレッグギャザー部３０の弾性部材３１が伸長状態で固定されている。また、シート部材４０には脚回り開口ＬＨ用の孔がくり抜かれている。
【００３５】
おむつ１の製造ラインでは、図３Ｂに示すように、吸収性本体１０の横方向の両側に一対のシート部材４０が配される。そして、シート部材４０の長手方向に沿い、且つ、脚回り開口ＬＨ用の孔を通過する折り位置Ｆ０にて、シート部材４０は吸収性本体１０の肌側面側に折り返され、図２Ｂの状態となる。シート部材４０のうち、吸収性本体１０と厚さ方向に重なる部位がベルト部２０となり、吸収性本体１０と横方向に並ぶ部位がレッグギャザー部３０となる。そして、前側の一対の接続部２，２及び後側の一対の接続部３，３が形成されることで、シート部材４０の折り返し状態が固定され、平面状態のおむつ１（図２Ａ）が形成される。但しこれに限定されず、ベルト部２０とレッグギャザー部３０が別部材で形成されていてもよい。
【００３６】
＜＜パンツ型吸収性物品の包装体＞＞
図４Ａは前述のおむつ１（パンツ型吸収性物品）の包装体５０の表側の平面図であり、図４Ｂは包装体５０の裏側の平面図である。
包装体５０は、互いに直交する第１方向、第２方向、及び、厚さ方向を有するとともに、おむつ１と、おむつ１を内包して第１方向（所定方向）に沿う折り位置Ｆ３，Ｆ４にて折り畳まれた包装シート５１と、包装シート５１の第１方向に沿う端５１ａ，５１ｂのうち外側に位置する開封端５１ａを包装シート５１の外面に止着している止着テープ５２と、第１方向における包装シート５１の両側端部を封止している一対の封止部５３とを有する。包装シート５１としては、ＳＭＳ不織布等の柔軟なシートを例示できる。止着テープ５２は、長方形状を成し、第１方向における包装体５０の中央部に配されている。
【００３７】
図５Ａから図５Ｃはおむつ１の折り畳み方法の説明図である。図６は包装シート５１の折り畳み方法の説明図である。図７Ａはベルト部２０の折り畳み状態を示すおむつ１の概略斜視図であり、図７Ｂは第１方向に切った包装体５０の概略断面図であり、図７Ｃはベルト部２０の折り畳み方法の変形例を説明する図である。
包装体５０では、折り畳まれているおむつ１を内包して包装シート５１が折り畳まれるものとする。つまり、おむつ１の折りと包装シート５１の折りが独立している。
【００３８】
そのため、包装体５０の製造ラインでは、先ず、おむつ１が折り畳まれる。図５Ａのパンツ型状態のおむつ１に示す折り位置Ｆ１にて、ベルト部２０の横方向の端部２０Ａが横方向の内側に折られ、おむつ１は図５Ｂの状態となる。折り位置Ｆ１は、接続部２よりも横方向の外側のベルト部２０上に位置し、接続部２と同様に縦方向に対して傾斜している。また、図５Ｂや図７Ａに示すように、ベルト部２０の横方向の端部２０Ａは、その非肌側面が互いに対向するように横方向の内側に折られ、長手方向に２つ折りされている吸収性本体１０に挟まれるように配されている。
【００３９】
その後、おむつ１の縦方向略中央の、横方向に沿う折り位置Ｆ２にて、吸収性本体１０が縦方向に２つ折りされ、おむつ１は図５Ｃの状態となる。図５Ｃの状態に折り畳まれたおむつ１が包装シート５１に内包される。つまり、本実施形態の包装体５０では、おむつ１（吸収性本体１０）が縦方向に２つ折りされていることになる。但し折りの回数は１回に限らない。また、図５Ｃでは、腹側部を内側にしておむつ１が２つ折りされている。すなわち前側の接続部２が吸収性本体１０の下端部１０Ｂで覆われるようにおむつ１が２つ折りされているが、背側部を内側にしておむつ１が２つ折りされていてもよい。
【００４０】
折り畳まれたおむつ１は、図６に示すように、包装体５０の第１方向に対応する方向を搬送方向として、所定の間隔おきに一列に並んで搬送される。以下、搬送方向をＭＤ方向といい、ＭＤ方向に直交する方向（包装体５０の第２方向に対応する方向）をＣＤ方向という。そして、ＭＤ方向に並んで搬送されるおむつ１に対して、ＭＤ方向に連続する包装シートの連続体５１’が合流する。詳しくは、２つ折りされている吸収性本体１０の上部１０Ａ（後側の接続部３が位置する側）を上面として、包装シートの連続体５１’が下方から合流し、おむつ１は包装シートの連続体５１’に載置された状態で搬送される。
【００４１】
次に、おむつ１よりもＣＤ方向手前側の、ＭＤ方向に沿う折り位置Ｆ３にて、包装シートの連続体５１’のＣＤ方向手前側の端部５１’ＢがＣＤ方向の内側に折られる。同様に、おむつ１よりもＣＤ方向奥側の、ＭＤ方向に沿う折り位置Ｆ４にて、包装シートの連続体５１’のＣＤ方向奥側の端部５１’ＡがＣＤ方向の内側に折られる。つまり、本実施形態の包装体５０では、包装シート５１が第１方向に沿う折り位置Ｆ３，Ｆ４にて３つ折りされていることになる。但し折りの回数は２回に限らない。また、ＣＤ方向の内側に折られた包装シートの連続体５１’の一部は重複し、図４Ａに示すように包装体５０には包装シート５１の重複部５１Ｃが形成されている。また、後から折られ包装シートの連続体５１’の端５１’ａが包装体５０の開封端５１ａに相当する。
【００４２】
次に、開封端５１ａを跨ぐようにして包装シートの連続体５１’の外面に止着テープ５２が接着される。止着テープ５２としては、ポリエチレンやポロプロピレン等のフィルムの片面に接着剤が塗布されたものを例示できる。
【００４３】
次に、ＭＤ方向に並ぶおむつ１の間に一対の封止部５３が形成される。一対の封止部５３のうち下流側の封止部５３ａが下流側の包装体５０の封止部となり、上流側の封止部５３ｂが上流側の包装体５０の封止部となる。なお、封止部５３における封止方法としては、ヒートシール、超音波シール、接着剤、これらの組み合わせ等、公知の接続方法を例示できる。最後に、一対の封止部５３ａ，５３ｂの間がＣＤ方向に沿って切断され、包装体５０が完成する。なお、市場では多数の包装体５０がパッケージされたものが流通する。
【００４４】
以上のように本実施形態の包装体５０では、折り畳まれているおむつ１を内包して、包装シート５１が折り畳まれており、おむつ１は包装シート５１と共に折り畳まれない。したがって、使用者が包装シート５１を展開しても、おむつ１の折り畳み状態が維持され、おむつ１の衛生状態が最後まで保たれる。
【００４５】
また、包装体５０に一対の封止部５３を設けるだけでも包装シート５１の折り畳み状態は維持される。しかし、本実施形態の包装体５０のように、包装シート５１の開封端５１ａに止着テープ５２を設けることで、使用者は包装体５０の開封位置を直ぐに認識できる。また、使用者は止着テープ５２を摘まみながら封止部５３を剥がして包装シート５１を展開できるので、容易に開封できる。このように包装体５０では開封し易さを実現できている。
【００４６】
更に、止着テープ５２の色（例えば青）を、包装シート５１の色やおむつ１を構成するシートの色（例えば白）と異なる色にするとよい。そうすることで、止着テープ５２が目立ち、包装体５０の開封位置がより認識され易くなる。また、先に包装シート５１を開く側とは反対側（図４Ａにおける第２方向の下側）の止着テープ５２の端部５２Ａを、包装シート５１に止着しないことが好ましい。そうすることで、使用者は止着テープ５２を摘まみ易くなり、包装体５０はより開封し易くなる。
【００４７】
図８Ａは包装体５０のおむつ１の移動代Ｌ３を説明する図であり、図８Ｂは包装シート５１の一部が折られた包装体５０の平面図である。図９Ａは変形例の包装体５０の移動代Ｌ３を説明する図であり、図９Ｂは包装シート５１の一部が折られた変形例の包装体５０の平面図である。
【００４８】
図８Ａに示すように、本実施形態の包装体５０は、第１方向において、包装シート５１の内寸Ｌ１（つまり一対の封止部５３の間の長さＬ１）から、折り畳まれているおむつ１の長さＬ２を減じた長さである「移動代Ｌ３（＝Ｌ１−Ｌ２）」を有する。そして、移動代Ｌ３に、封止部５３の第１方向の長さＬ４を加えた長さＬ５（本発明の第１の長さ＝Ｌ３＋Ｌ４）が、第１方向における一方側の包装体５０の側端５０ａから止着テープ５２の側端５２ａまでの長さＬ６の半分の長さＬ６／２（本発明の第２の長さ）よりも長くなっている（Ｌ５＞Ｌ６／２）。
【００４９】
つまり、包装体５０では、おむつ１の移動代Ｌ３が大きく、おむつ１はゆったりと包装されている。そのため、おむつ１に折り畳みの癖が付き難い。よって、おむつ１（特に吸収性本体１０）は着用者に密着し、排泄物の漏れや着け心地の低下を防止できる。
【００５０】
また、包装シート５１内でおむつ１を第１方向の片側（図８Ａでは他方側）に寄せ、おむつ１が位置していない包装シート５１の部位を折る。詳しくは、第１方向におけるおむつ１を寄せた側とは反対側（図８Ａでは一方側）のおむつ１の端１ａを折り位置として、包装シート５１を折る。そうすると、図８Ｂに示すように、止着テープ５２の少なくとも一部を包装シート５１で覆うことができる。よって、止着テープ５２の不用な剥離を防止できる。例えば包装体５０の持ち運び時に図８Ｂの状態にすることで、包装シート５１が展開しておむつ１が露出してしまうことを防止でき、おむつ１の衛生状態が最後まで保たれる。
【００５１】
また、包装シート５１が折り重なる包装体５０の部位５０Ａ（図８Ｂ）では、外から中身（おむつ１）が視認され難い。そのため、本実施形態の包装体５０のように移動代Ｌ３が大きいと、包装シート５１が折り重なる包装体５０の部位５０Ａも大きく、図８Ｂの状態にすることで包装体５０の外からおむつ１が視認され難くなる。よって、おむつ１の使用に抵抗感のある使用者でも包装体５０を持ち運び易くなる。
【００５２】
また、図９Ａに示すように、第１方向において、移動代Ｌ３（＝Ｌ１−Ｌ２）に封止部５３の長さＬ４を加えた長さＬ５（＝Ｌ３＋Ｌ４）が、第１方向における一方側の包装体５０の側端５０ａから他方側の止着テープ５２の側端５２ｂまでの長さＬ８の半分の長さＬ８／２（本発明の第３の長さ）以上であると、より好ましい（Ｌ５≧Ｌ８／２）。
【００５３】
そうすることで、おむつ１の移動代Ｌ３がより大きくなり、おむつ１がゆったりと包装されるため、おむつ１に折り畳みの癖が付き難くなる。
また、図９Ｂに示すように、包装シート５１内でおむつ１を第１方向の片側に寄せ、おむつ１が位置していない包装シート５１の部位を、おむつ１の端１ａを折り位置として折ることで、止着テープ５２の全部を包装シート５１で覆うことができる。よって、止着テープ５２の不用な剥離をより確実に防止できる。また、図９Ｂの状態にすることで、包装シート５１が折り重なる包装体５０の部位５０Ａも大きくなり、包装体５０の外からおむつ１がより視認され難くなる。
【００５４】
また、移動代Ｌ３が大きくなるように、封止部５３の第１方向の長さＬ４は、移動代Ｌ３よりも短く（Ｌ４＜Ｌ３）、止着テープ５２の第１方向の長さＬ７よりも短いこと（Ｌ４＜Ｌ７）が好ましい。
【００５５】
また、包装体５０開封端５１ａのうち止着テープ５２と封止部５３の間の部位５１ａ１（図４Ａ参照）が、包装シート５１の外面に止着されていないことが好ましい。つまり、止着テープ５２と封止部５３の間の部位では、包装シート５１の重複部５１Ｃが互いに接着されておらず、包装シート５１の外部と内部が連通していることが好ましい。
【００５６】
そうすることで、止着テープ５２と封止部５３の間の部位５１ａ１が空気の通り道となり、包装シート５１内が密封されない。よって、おむつ１がゆったりと包装され、おむつ１に折り畳みの癖が付き難くなる。また、包装シート５１内を密封しないことで、包装シート５１の破裂を防ぎ、おむつ１の不用な露出を防止できる。
【００５７】
また、この場合、本実施形態の包装体５０のように、包装シート５１と共におむつ１が折り畳まれていないことが好ましい。そうすることで、止着テープ５２と封止部５３の間（５１ａ１）から指などの異物が入ってしまっても、異物とおむつ１が接触し難く、おむつ１の衛生状態が保たれる。また、包装体５０に止着テープ５２を設けることで、一対の封止部５３間に空気の通り道を作りつつ、開封端５１ａの一部を止着テープ５２で止めることができ、異物が混入し難くなるといえる。但し上記に限らず、止着テープ５２と封止部５３の間の包装シート５１の重複部５１Ｃが接着されていてもよい。
【００５８】
また、包装シート５１は坪量が１０〜２５ｇ／ｍ2である不織布が好ましい。包装シート５１の坪量を１０ｇ／ｍ2以上にすることで、中のおむつ１が外部から汚染されない程にシートの厚みが得られ、おむつ１の衛生状態が保たれる。一方、包装シート５１の坪量を２５ｇ／ｍ2以下にすることで、図８Ｂに示すように包装シート５１の一部が折り重なった部位５０Ａの表面からも内部の空気を抜くことができる。よって、包装シート５１の開封端５１ａからばかり空気が抜けることによる止着テープ５２の外れや包装シート５１の開きを防止できる。同様の理由で、包装シート５１をフィルムにすると表面から空気が抜け難く、開封端５１ａからばかり空気が抜けようとする。そのため、包装シート５１を不織布にすることが好ましい。
【００５９】
また、前述したように、包装シート５１内において、おむつ１は、ベルト部２０の横方向の両端部２０Ａが横方向の内側に折られており（図５Ｂ）、横方向に沿う折り位置Ｆ２にて吸収性本体１０が縦方向に折られている（図５Ｃ）。
【００６０】
そのため、包装体５０内でのおむつ１をコンパクトにでき、比較的に大きな移動代Ｌ３を有する本実施形態の包装体５０をコンパクトにできる。また、ベルト部２０は横方向に伸縮可能であり、包装体５０の外からベルト部２０が視認されると、包装体５０の中身がおむつ１であると認識され易い。そこで、上記のようにベルト部２０を横方向の内側に折ることで、包装体５０の外から視認されるベルト部２０の大きさを小さくでき、包装体５０の外からおむつ１と認識され難くなる。よって、おむつ１の使用に抵抗感のある使用者でも包装体５０を持ち運び易くなる。
【００６１】
本実施形態の包装体５０では、図５Ｂや図７Ａに示すように、ベルト部２０の横方向の端部２０Ａの非肌側面が互いに対向し、且つ、吸収性本体１０の肌側に位置するように（つまり吸収性本体１０の間に挟まれるように）、ベルト部２０の横方向の端部２０Ａが横方向の内側に折られている。そのため、包装体５０の外から視認されるベルト部２０の大きさを小さくでき、包装体５０の外からおむつ１と認識され難くなる。
【００６２】
また、図７Ｃの変形例のように、ベルト部２０の横方向の端部２０Ａが、吸収性本体１０の非肌側に位置するように横方向の内側に折られていてもよい。この場合も、ベルト部２０の横方向の端部２０Ａが内側となるように、吸収性本体１０が折り位置Ｆ２で縦方向に２つ折りされることで、包装体５０の外から視認されるベルト部２０の大きさを小さくできる。
【００６３】
但し、本実施形態の包装体５０のようにベルト部２０を折ることで（図５Ｂや図７Ａ）、ベルト部２０の横方向の端部２０Ａが吸収性本体１０の間に挟まれて、ベルト部２０の折りの状態が維持され易くなる。
また、図７Ａに示すように、吸収性本体１０の腹側の上端１０ａと背側の上端１０ｂは、ベルト部２０が間に挟まれている分だけ前後方向に離間する。そのため、おむつ１の着用時に、使用者が吸収性本体１０の上端１０ａ，１０ｂを摘まみ易くなり、胴回り開口ＢＨを広げ易くなる。
また、各ベルト部２０の一部が重複するため、横方向の内側に折り返されるベルト部２０の長さ（図７ＡのＬ９）が図７Ｃに比べると短くなる。そのため、ベルト部２０が吸収性本体１０の２つ折り位置Ｆ２と交差し難く、吸収性本体１０の２つ折りの状態が維持され易い。
【００６４】
また、本実施形態のおむつ１（図１）では、吸収性本体１０の端部とベルト部２０を接続している接続部２，３が、胴回り開口ＢＨ側から脚周り開口側ＬＨに向かって横方向の外側に傾斜している。そのため、図１や図５Ａに示すように、おむつ１はショーツやブリーフのような下着に近い形状となり、おむつ１の使用に抵抗感のある使用者でも使用し易い。
【００６５】
また、包装体５０の厚さ方向（つまり止着テープ５２の面に直交する方向）において、止着テープ５２が配されている側の面を表面（図４Ａ）とし、その反対側を裏面（図４Ｂ）とする。包装体５０の表面には、止着テープ５２や包装シート５１の重複部５１Ｃが配されている。そのため、表面側の方が裏面側に比べて包装体５０内のおむつ１が視認され難い。そこで、２つ折りされている吸収性本体１０のうち胴回り開口ＢＨ側の上端部１０Ａが包装体５０の表面側に位置し、下端部１０Ｂが包装体５０の裏面側に位置するようにするとよい。
【００６６】
そうすることで、吸収性本体１０の上端部１０Ａに接続しているベルト部２０や斜めに傾斜している接続部３、つまり、おむつ１と認識され易い部位が、表面側に位置することになり、包装体５０の外から視認され難くなる。よって、包装体５０の中身がおむつ１と認識され難くなり、おむつ１の使用に抵抗感のある使用者でも包装体５０を持ち運び易くなる。
【００６７】
また、吸収性本体１０の上端部１０Ａを表面側に配することで、包装体５０を図８Ｂの状態にした場合に、包装シート５１が折り重なる部位５０Ａによって、止着テープ５２の剥離を防ぎつつ、包装体５０の外からベルト部２０や接続部３がより視認され難くなる。但し上記に限らず、吸収性本体１０の上端部１０Ａが包装体５０の裏面側に位置していてもよい。
【００６８】
なお、包装体５０が内包するおむつ１の形状は上記に限らない。例えば、横方向に沿う腹側ベルト部の中央部に吸収性本体の一端部が接続され、横方向に沿う背側ベルト部の中央部に吸収性本体の他端部が接続され、腹側ベルト部と背側ベルト部の横方向の両側部が接続されているおむつであってもよい。この場合にも、上記のようにおむつ１を折り畳み、吸収性本体の胴回り開口側の部位を表面側に配することで、包装体５０の中身がおむつ１と認識され難くなる。
【００６９】
また、図５Ａでは、ベルト部２０の折り位置Ｆ１が胴回り開口ＢＨ側から脚周り開口ＬＨ側に向かって横方向の外側に傾斜しているが、これに限らず、ベルト部２０の折り位置Ｆ１が縦方向に沿っていてもよい。但し、折り位置Ｆ１が傾斜している方が、包装体５０の外から視認されるベルト部２０の大きさをより小さくでき、包装体５０の中身がおむつ１と認識され難くなる。
【００７０】
また、図４Ａに示すように、包装シート５１内のおむつ１の横方向が、包装体５０の第１方向と交差する方向（ここでは第１方向と直交する第２方向）に沿っている。そのため、吸収性本体１０を２つ折りする横方向に沿う折り位置Ｆ２が、包装シート５１の第１方向に沿う折り位置Ｆ３，Ｆ４と直交する。
【００７１】
よって、包装シート５１は、内部で折り畳まれているおむつ１の展開の力を受け難く、包装シート５１の折り畳みの状態が維持され易い。換言すると、包装シート５１の展開に連動して吸収性本体１０が展開し難いため、包装シート５１を展開してもおむつ１の折り畳みの状態が維持され易く、おむつ１の衛生状態が最後まで保たれる。
また、本実施形態の包装体５０では、止着テープ５２と封止部５３の間の部位５１ａ１が止着されていないため、上記のように包装シート５１の折り畳み状態が維持され易くなることが好ましい。
【００７２】
また、図４Ａの場合、おむつ１の胴回り開口ＢＨが封止部５３と対向し、包装シート５１の折り位置Ｆ３，Ｆ４と対向しない。そのため、使用者が包装シート５１を展開する際に、胴回り開口ＢＨに指が入り難い。よって、おむつ１の肌側面が最後まで触れられることなく、おむつ１の衛生状態が保たれる。但し上記に限らず、おむつ１の横方向が包装体５０の第１方向に沿っていてもよい。
【００７３】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【００７４】
１  おむつ（パンツ型吸収性物品）、２  接続部、３  接続部、
ＢＨ  胴回り開口部、ＬＨ  脚回り開口部、
１０  吸収性本体、１１  トップシート、１２  吸収体、
１３  バックシート、１４  外装シート、
２０  ベルト部、２１  弾性部材、
３０  レッグギャザー部、３１  弾性部材、
４０  シート部材、４１  シート、
５０  包装体、５１  包装シート、５２  止着テープ、５３  封止部、
Ｌ５  第１の長さ、Ｌ６／２  第２の長さ、Ｌ８／２  第３の長さ、
【図１】
2018102845.tif 000003
【図２】
2018102845.tif 000004
【図３】
2018102845.tif 000005
【図４】
2018102845.tif 000006
【図５】
2018102845.tif 000007
【図６】
2018102845.tif 000008
【図７】
2018102845.tif 000009
【図８】
2018102845.tif 000010
【図９】
2018102845.tif 000011